(57)【特許請求の範囲】
【請求項１】
長尺のテープキャリア上に半導体素子を接合・搭載してなるテープキャリア型半導体装置に用いられ、該テープキャリア型半導体装置の配線パターンが連続的に形成されてなるテープキャリアにおいて、
上記配線パターンは、外部接続端子が形成された突起部を有する形状であり、
隣接して配置される複数個の配線パターンは突起部同士が互いに隣接するように配置されることで、テープキャリアの不要領域の面積を減少させるレイアウトで配置されていることを特徴とするテープキャリア。
【請求項２】
上記各配線パターンは、Ｌ字型またはＴ字型のような突起部を有する形状であることを特徴とする請求項１に記載のテープキャリア。
【請求項３】
上記各配線パターンは、Ｌ字型またはＴ字型の形状であることを特徴とする請求項２に記載のテープキャリア。
【請求項４】
長尺のテープキャリア上に半導体素子を接合・搭載してなるテープキャリア型半導体装置に用いられ、該テープキャリア型半導体装置の配線パターンが連続的に形成されてなるテープキャリアにおいて、
上記配線パターンは、略矩形形状の基体部に突起部が組み合わされてなるＬ字型またはＴ字型の形状であり、
隣接して配置される複数個の配線パターンは突起部同士が互いに隣接するように配置されることで、テープキャリアの不要領域の面積を減少させるレイアウトで配置されていることを特徴とするテープキャリア。
【請求項５】
上記テープキャリア上には、同一形状の配線パターンがテープキャリアのテープ送り方向に対して複数の方向を有するように配置されていることを特徴とする請求項１ないし４のいずれかに記載のテープキャリア。
【請求項６】
上記テープキャリア上には、形状の異なる複数種類の配線パターンが形成されていることを特徴とする請求項１ないし４のいずれかに記載のテープキャリア。
【請求項７】
上記配線パターンが、上記テープキャリアの基体となるテープキャリア材料上に、接着剤を介在して固定されていることを特徴とする請求項１ないし６の何れかに記載のテープキャリア。
【請求項８】
上記配線パターンが、上記テープキャリアの基体となるテープキャリア材料上に、接着剤を介在せずに固定されていることを特徴とする請求項１ないし６の何れかに記載のテープキャリア。
【請求項９】
上記テープキャリア型半導体装置はＣＯＦであることを特徴とする請求項１ないし８の何れかに記載のテープキャリア。
【請求項１０】
上記請求項１ないし９の何れかに記載のテープキャリアに対して、該テープキャリア上の配線パターンの所定位置に半導体素子を接合・搭載する第１の工程と、
上記配線パターン上に上記半導体素子が接合・搭載されてなるテープキャリア型半導体装置を、上記テープキャリアから打ち抜いて個々のテープキャリア型半導体装置とする第２の工程とを有することを特徴とするテープキャリア型半導体装置の製造方法。
【請求項１１】
上記テープキャリア上には、同一形状の配線パターンがテープキャリアのテープ送り方向に対して複数の方向を有するように配置されており、
上記第１の工程で、上記テープキャリア上の配線パターンの所定位置に搭載される半導体素子は、該配線パターンの向きに応じて回転された後、搭載されることを特徴とする請求項１０に記載のテープキャリア型半導体装置の製造方法。
【請求項１２】
上記第１の工程で、
上記テープキャリア上の配線パターンの所定位置に搭載される半導体素子は、該テープキャリア上の配線パターンの種類数に対応して設けられたピックアップ機構によって搭載されるものであり、
同種類の配線パターンに搭載される半導体素子は、同一のピックアップ機構によって搭載されることを特徴とする請求項１０に記載のテープキャリア型半導体装置の製造方法。
【請求項１３】
上記第１の工程で、
上記テープキャリア上の配線パターンの所定位置に搭載される半導体素子は、該テープキャリア上の配線パターンの種類数に対応する回数分だけ、該工程を実行する製造装置に通されることによって搭載されるものであり、
同種類の配線パターンに搭載される半導体素子は、上記製造装置の同一通過時に搭載されることを特徴とする請求項１０に記載のテープキャリア型半導体装置の製造方法。
【請求項１４】
上記テープキャリア上には、同一形状の配線パターンがテープキャリアのテープ送り方向に対して複数の方向を有するように配置されており、
上記第２の工程で、上記テープキャリア上のテープキャリア型半導体装置は、該配線パターンの向きに応じて回転可能に設けられたパンチング用金型によって打ち抜かれることを特徴とする請求項１０に記載のテープキャリア型半導体装置の製造方法。
【請求項１５】
上記第２の工程で、
上記テープキャリア上のテープキャリア型半導体装置は、上記配線パターンの種類数に対応して設けられたパンチング用金型によってテープキャリアから打ち抜かれるものであり、
同種類の配線パターンを有するテープキャリア型半導体装置は、同一のパンチング用金型によって打ち抜かれることを特徴とする請求項１０に記載のテープキャリア型半導体装置の製造方法。
【請求項１６】
上記第２の工程で、
上記テープキャリア上のテープキャリア型半導体装置は、上記配線パターンの種類数に対応して設けられたパンチング用金型によって、かつ、上記配線パターンの種類数に対応する回数分だけ、該工程を実行する製造装置に通されることによってテープキャリアから打ち抜かれるものであり、
同種類の配線パターンを有するテープキャリア型半導体装置は、上記製造装置の同一通過時に、同一のパンチング用金型によって打ち抜かれることを特徴とする請求項１０に記載のテープキャリア型半導体装置の製造方法。
【請求項１７】
上記第１の工程で、上記半導体素子と上記テープキャリア上の配線パターンとの接合方式が、Ａｕ−Ｓｎの合金形成によってなされていることを特徴とする請求項１０ないし１６の何れかに記載のテープキャリア型半導体装置の製造方法。
【請求項１８】
上記第１の工程で、上記半導体素子と上記テープキャリア上の配線パターンとが、異方導電性接着剤によって接合されることを特徴とする請求項１０ないし１６の何れかに記載のテープキャリア型半導体装置の製造方法。
【発明の詳細な説明】
【０００１】
【発明の属する技術分野】
本発明は、フレキシブル配線基板上に半導体素子が接合・搭載されてなるテープキャリア型半導体装置およびその製造方法に関するものである。
【０００２】
【従来の技術】
半導体素子を電子回路に実装する技術の一つとして、従来より、フレキシブル配線基板（いわゆる、テープキャリア）上に半導体素子を接合・搭載して、テープキャリア型半導体装置を得るＴＡＢ（Ｔａｐｅ  Ａｕｔｏｍａｔｅｄ  Ｂｏｎｄｉｎｇ）技術が一般に知られている。
【０００３】
上記ＴＡＢ技術によって得られるテープキャリア型半導体装置には、例えば、ＣＯＦ（Ｃｈｉｐ  Ｏｎ  ＦＰＣ（Ｆｌｅｘｉｂｌｅ  Ｐｒｉｎｔｅｄ  Ｃｉｒｃｕｉｔ））  や、ＴＣＰ（Ｔａｐｅ  Ｃａｒｒｉｅｒ  Ｐａｃｋａｇｅ）がある。上記ＣＯＦは、テープキャリアにおいて半導体素子電極と接合する部分の配線パターンがテープキャリア材料で裏打ちされている。一方、ＴＣＰでは、半導体素子電極との接合部分はテープキャリア材料の半導体素子が搭載される部分に予め貫通穴が設けられており、インナリードと呼ばれる配線パターンが片持ち梁状に突き出した状態で、インナリードの先端部分と半導体素子電極とが接合される。
【０００４】
このようなテープキャリア型半導体装置の主な用途としては、液晶ドライバやサーマルヘッドプリンタ等がある。
【０００５】
上記テープキャリア型半導体装置は、長尺のテープ（テープキャリア材料）上において、同一の配線パターンをテープ送り方向に対して同一方向かつ同一間隔の配列となるように連続的に形成し、該配線パターンの所定位置に半導体素子を実装した後、該長尺のテープから個片に打ち抜かれることによって完成する。このため、上記テープキャリア上に形成されるテープキャリア型半導体装置は、テープ送り方向に対し同一方向に設計される。完成したテープキャリア型半導体装置は、例えば液晶パネルに用いられる場合等では、該テープキャリア型半導体装置の一方の辺を液晶パネルに、他方の辺をプリント基板等に接続される。
【０００６】
また、上記テープキャリア型半導体装置は、フレキシブルであることから折り曲げられた状態で実装されることを前提としていることが多く、その用途に応じて高い自由度で設計される。このため、上記テープキャリア型半導体装置を長尺のテープキャリア上にレイアウト設計する場合、必ずしもテープキャリア面積を有効に利用できるところの長方形形状とはならず、Ｌ字形、Ｔ字形、三角形等、その他様々な形状となりうる。
【０００７】
【発明が解決しようとする課題】
ところが、上述のように、任意形状のテープキャリア型半導体装置を、テープキャリア上において同一方向にレイアウト配置した場合、該テープキャリア上にテープキャリア型半導体装置の形成に使用されない不要な領域が発生する。例えば、図１１（ａ）に示す形状のＣＯＦ５１をテープキャリア上にレイアウトする場合、従来では、図１１（ｂ）に示すようなレイアウトとなる。すなわち、この場合には、該テープキャリアにおいて、不要領域（図中、斜線ハッチングで示す）５２が生じる。
【０００８】
一方、テープキャリアの製造工程および使用材料においては、該テープキャリアは全て長尺のテープ状態でリールｔｏリールで製造されるため、その価格はテープ面積に比例する。このため、上記テープキャリア上に、テープキャリア型半導体装置の形成に使用されない領域があっても、その部分にも製造コストはかかっている。したがって、テープキャリア型半導体装置の形成に使用されない領域が大きいほどテープキャリア型半導体装置の製造価格は上昇する。しかしながら、このような不要領域を少なくするために、上記テープキャリア型半導体装置の形状をテープキャリアを有効利用できる形状（例えば、長方形）とすることは、形状設計を自由に行えるというテープキャリア型半導体装置の利点をそこなうことになるため好ましくない。
【０００９】
一方、テープキャリア上の使わない領域を極力少なくし、同時に複数個を電気テストする方法として、実開平６−８２８５２号公報には、半導体装置ＴＡＢをテープキャリアの幅方向に複数列配置する手法が開示されている。しかしながら、上記公報の場合、ＴＡＢのテープ送り方向に対する向きが全て同一であること、またＴＡＢの形状がテープ面積を有効活用できる四角形であることから、上述のようにテープキャリア型半導体装置の形状が任意形状である場合には、テープ面積で無駄な領域が発生しやすいという上記課題の解決には至らない。
【００１０】
本発明は、上記の問題点を解決するためになされたもので、その目的は、テープキャリア型半導体装置において、その形状を任意に設計可能であるという利点を損なうことなく、所定長さのテープキャリアにおけるテープキャリア型半導体装置の取れ数を増加させ、その製造コストを下げることにある。
【００１１】
【課題を解決するための手段】
請求項１のテープキャリアは、上記の課題を解決するために、長尺のテープキャリア上に半導体素子を接合・搭載してなるテープキャリア型半導体装置に用いられ、該テープキャリア型半導体装置の配線パターンが連続的に形成されてなるテープキャリアにおいて、同一形状の配線パターンが、テープキャリアの利用面積が大きくなるようなレイアウトで、テープキャリアのテープ送り方向に対して複数の方向を有するように配置されていることを特徴としている。
【００１２】
請求項５のテープキャリア型半導体装置の製造方法は、上記の課題を解決するために、同一形状の配線パターンが、テープキャリアの利用面積が大きくなるようなレイアウトで、テープキャリアのテープ送り方向に対して複数の方向を有するように配置されているテープキャリアに対して、該テープキャリア上の配線パターンの所定位置に半導体素子を接合・搭載する第１の工程と、上記配線パターン上に上記半導体素子が接合・搭載されてなるテープキャリア型半導体装置を、上記テープキャリアから打ち抜いて個々のテープキャリア型半導体装置とする第２の工程とを有することを特徴としている。
【００１３】
上記請求項１および５の構成によれば、同一形状の配線パターンをテープキャリアの利用面積が大きくなるようなレイアウトでテープキャリアのテープ送り方向に対して複数の方向を有するように配置することにより、テープキャリア上に形成される全ての配線パターンを同一方向に配置する従来構成に比べて、該テープキャリア上においてテープキャリア型半導体装置の形成に寄与しない不要領域を減少させることができる。
【００１４】
これにより、所定長さのテープキャリアにおいて、従来よりもテープキャリア型半導体装置の取れ数を増加させることができ、テープキャリア型半導体装置の製造価格において大きなコストダウンが得られる。
【００１５】
請求項２のテープキャリアは、上記の課題を解決するために、長尺のテープキャリア上に半導体素子を接合・搭載してなるテープキャリア型半導体装置に用いられ、該テープキャリア型半導体装置の配線パターンが連続的に形成されてなるテープキャリアにおいて、形状の異なる複数種類の配線パターンが、テープキャリアの利用面積が大きくなるようなレイアウトで配置されていることを特徴としている。
【００１６】
請求項６のテープキャリア型半導体装置の製造方法は、上記の課題を解決するために、形状の異なる複数種類の配線パターンが、テープキャリアの利用面積が大きくなるようなレイアウトで配置されているテープキャリアに対して、該テープキャリア上の配線パターンの所定位置に半導体素子を接合・搭載する第１の工程と、上記配線パターン上に上記半導体素子が接合・搭載されてなるテープキャリア型半導体装置を、上記テープキャリアから打ち抜いて個々のテープキャリア型半導体装置とする第２の工程とを有することを特徴としている。
【００１７】
上記請求項２および６の構成によれば、形状の異なる複数種類の配線パターンを同一のテープキャリア上にレイアウトする場合、これら複数種類の配線パターンを適切に組み合わせることによって、テープキャリアの利用面積が大きくなるようなレイアウトで配置することが可能となる。このため、テープキャリア上に同一種類の配線パターンを同一方向に配置する従来構成に比べて、該テープキャリア上においてテープキャリア型半導体装置の形成に寄与しない不要領域を減少させることができる。
【００１８】
これにより、所定長さのテープキャリアにおいて、従来よりもテープキャリア型半導体装置の取れ数を増加させることができ、テープキャリア型半導体装置の製造価格において大きなコストダウンが得られる。
【００１９】
さらに、複数種類のテープキャリア型半導体装置を作成する場合に、１種類のテープキャリアでこれらのテープキャリア型半導体装置を同時に形成可能となるため、多品種少量生産を行う場合に好適である。
【００２０】
尚、ここで、形状の異なる複数種類の配線パターンとは、鏡面対称形状の配線パターンも含むものとする。
【００２１】
請求項３のテープキャリアは、請求項１または２の構成に加えて、上記配線パターンが、上記テープキャリアの基体となるテープキャリア材料上に、接着剤を介在して固定されていることを特徴としている。
【００２２】
請求項４のテープキャリアは、請求項１または２の構成に加えて、上記配線パターンが、上記テープキャリアの基体となるテープキャリア材料上に、接着剤を介在せずに固定されていることを特徴としている。
【００２３】
上記請求項３の構成によれば３層テープのテープキャリアに、また、上記請求項４の構成によれば２層テープのテープキャリアに本発明を適用することができる。
【００２４】
請求項７のテープキャリア型半導体装置の製造方法は、請求項５の構成に加えて、上記第１の工程で、上記テープキャリア上の配線パターンの所定位置に搭載される半導体素子は、該配線パターンの向きに応じて回転された後、搭載されることを特徴としている。
【００２５】
請求項１０のテープキャリア型半導体装置の製造方法は、請求項５の構成に加えて、上記第２の工程で、上記テープキャリア上のテープキャリア型半導体装置は、該配線パターンの向きに応じて回転可能に設けられたパンチング用金型によって打ち抜かれることを特徴としている。
【００２６】
すなわち、上記請求項５の構成では、同一形状の配線パターンをテープキャリアのテープ送り方向に対して複数の方向を有するように配置することにより、第１の工程においてこれらの配線パターンに搭載される半導体素子も、該配線パターンの向きに応じて搭載される必要がある。さらに、第２の工程においても、テープキャリア上のテープキャリア型半導体装置は、該配線パターンの向きに応じて打ち抜かれる必要がある。
【００２７】
これに対し、上記請求項７の構成によれば、配線パターンの所定位置に搭載される半導体素子は、該配線パターンの向きに応じて回転された後、搭載されるため、上記半導体素子を配線パターンの向きに応じて搭載することが可能となる。
【００２８】
また、上記請求項１０の構成によれば、テープキャリア型半導体装置は、配線パターンの向きに応じて回転可能に設けられたパンチング用金型によってテープキャリアから打ち抜かれるため、配線パターンの向きに応じた打ち抜きが可能となる。
【００２９】
請求項８のテープキャリア型半導体装置の製造方法は、請求項５または６の構成に加えて、上記第１の工程で、上記テープキャリア上の配線パターンの所定位置に搭載される半導体素子は、該テープキャリア上の配線パターンの種類数に対応して設けられたピックアップ機構によって搭載されるものであり、同種類の配線パターンに搭載される半導体素子は、同一のピックアップ機構によって搭載されることを特徴としている。
【００３０】
請求項９のテープキャリア型半導体装置の製造方法は、請求項５または６の構成に加えて、上記第１の工程で、上記テープキャリア上の配線パターンの所定位置に搭載される半導体素子は、該テープキャリア上の配線パターンの種類数に対応する回数分だけ、該工程を実行する製造装置に通されることによって搭載されるものであり、同種類の配線パターンに搭載される半導体素子は、上記製造装置の同一通過時に搭載されることを特徴としている。
【００３１】
請求項１１のテープキャリア型半導体装置の製造方法は、請求項５または６の構成に加えて、上記第２の工程で、上記テープキャリア上のテープキャリア型半導体装置は、上記配線パターンの種類数に対応して設けられたパンチング用金型によってテープキャリアから打ち抜かれるものであり、同種類の配線パターンを有するテープキャリア型半導体装置は、同一のパンチング用金型によって打ち抜かれることを特徴としている。
【００３２】
請求項１２のテープキャリア型半導体装置の製造方法は、請求項５または６の構成に加えて、上記第２の工程で、上記テープキャリア上のテープキャリア型半導体装置は、上記配線パターンの種類数に対応して設けられたパンチング用金型によって、かつ、上記配線パターンの種類数に対応する回数分だけ、該工程を実行する製造装置に通されることによってテープキャリアから打ち抜かれるものであり、同種類の配線パターンを有するテープキャリア型半導体装置は、上記製造装置の同一通過時に、同一のパンチング用金型によって打ち抜かれることを特徴としている。
【００３３】
すなわち、上記請求項５および６の構成では、上記テープキャリア上に複数種類の配線パターンを同時に形成することにより、第１の工程においてこれらの配線パターンに搭載される半導体素子も、該配線パターンの種類に応じて搭載される必要がある。さらに、第２の工程においても、テープキャリア上のテープキャリア型半導体装置は、該配線パターンの種類（形状）に応じて打ち抜かれる必要がある。尚、ここでは、上記請求項５のように同一形状の配線パターンであっても、その配置向きが異なれば別種類のものであるとする。
【００３４】
これに対し、上記請求項８の構成によれば、配線パターンの所定位置に搭載される半導体素子は、該テープキャリア上の配線パターンの種類数に対応して設けられたピックアップ機構によって搭載され、同種類の配線パターンに搭載される半導体素子は、同一のピックアップ機構によって搭載される。これにより、上記半導体素子を配線パターンの種類に応じて搭載することが可能となる。
【００３５】
また、上記請求項９の構成によれば、配線パターンの所定位置に搭載される半導体素子は、該テープキャリア上の配線パターンの種類数に対応する回数分だけ、該工程を実行する製造装置に通されることによって搭載されるものであり、同種類の配線パターンに搭載される半導体素子は、上記製造装置の同一通過時に搭載される。これにより、上記半導体素子を配線パターンの種類に応じて搭載することが可能となる。
【００３６】
さらに、上記請求項１１の構成によれば、テープキャリア型半導体装置は、上記配線パターンの種類数に対応して設けられたパンチング用金型によってテープキャリアから打ち抜かれるものであり、同種類の配線パターンを有するテープキャリア型半導体装置は、同一のパンチング用金型によって打ち抜かれる。これにより、上記テープキャリア型半導体装置を配線パターンの種類に応じてテープキャリアから打ち抜くことが可能となる。
【００３７】
また、上記請求項１２の構成によれば、テープキャリア型半導体装置は、上記配線パターンの種類数に対応して設けられたパンチング用金型によって、かつ、上記配線パターンの種類数に対応する回数分だけ、該工程を実行する製造装置に通されることによってテープキャリアから打ち抜かれ、同種類の配線パターンを有するテープキャリア型半導体装置は、上記製造装置の同一通過時に、同一のパンチング用金型によって打ち抜かれる。これにより、上記テープキャリア型半導体装置を配線パターンの種類に応じてテープキャリアから打ち抜くことが可能となる。
【００３８】
請求項１３のテープキャリア型半導体装置の製造方法は、請求項５ないし１２の何れかの構成に加えて、上記第１の工程で、上記半導体素子と上記テープキャリア上の配線パターンとの接合方式が、Ａｕ−Ｓｎの合金形成によってなされていることを特徴としている。
【００３９】
上記の構成によれば、例えば、金メッキされた半導体素子電極と、錫メッキされた配線パターンとを加熱加圧することにより、Ａｕ−Ｓｎの合金形成によって上記半導体素子と上記配線パターンとが接合されるため、従来の接合方式を利用することができる。
【００４０】
請求項１４のテープキャリア型半導体装置の製造方法は、請求項５ないし１２の何れかの構成に加えて、上記第１の工程で、上記半導体素子と上記テープキャリア上の配線パターンとが、異方導電性接着剤によって接合されることを特徴としている。
【００４１】
上記の構成によれば、上記半導体素子と上記テープキャリア上の配線パターンとを異方導電性接着剤によって接合することにより、該異方導電性接着剤によって端子部分の封止効果も得られる。このため、従来、このような封止効果を得るために使用されていた封止樹脂が不要となり、該封止樹脂の注入工程等を省くことができるため、従来に比べ上記第１の工程を簡略化することができる。
【００４２】
【発明の実施の形態】
本発明の実施の一形態について図１ないし図１０に基づいて説明すれば、以下の通りである。尚、本発明に係るテープキャリア型半導体装置には、ＣＯＦやＴＣＰ等の種類があり、機能的にはＣＯＦにもＴＣＰにも本発明を適用することにより同様の効果が得られるため、本発明に係るテープキャリア型半導体装置の種類は特に限定されるものではない。但し、一般には、ＣＯＦの方がＴＣＰに比べて長方形状にならない場合が多くあるので、本発明を活かせる機会はＣＯＦの方が多くあると考えられ、よって、以下の説明ではテープキャリア型半導体装置としてＣＯＦを例示する。尚、ＣＯＦには明確な定義は無く、テープに搭載された状態のものも、これを打ち抜いた個々のものもＣＯＦと呼ばれている。
【００４３】
〔実施例１〕
図１に、本実施例に係るＣＯＦ形状と、テープキャリア上でのＣＯＦパターンレイアウトを示す。
【００４４】
ＣＯＦ１は、図１（ａ）に示すような形状をしており、この形状は、図１１（ａ）に示したＣＯＦ５１と同形状であるとする。上記ＣＯＦ１は、配線パターンが形成されたフレキシブル配線基板上に、半導体素子（図中、黒塗りハッチングで示す）２が接合・搭載されてなる。上記配線パターンは、通常、半導体素子２の電極と接続されるインナリードと、外部回路と接続されるアウタリードとからなるが、上記図１（ａ）では、インナリードの図示を省略している。
【００４５】
上記ＣＯＦ１を本実施例の方法に基づいてテープキャリア上にレイアウト設計する場合、該テープキャリア上で隣接して配置されるＣＯＦパターン１ａ・１ｂは、互いに１８０°回転した向きで配列される。そして、上記テープキャリアから上記ＣＯＦパターン１ａ・１ｂを打ち抜いた後は、同一形状のＣＯＦ１が得られる。
【００４６】
このように、本実施例では、同一形状の複数のＣＯＦ１をテープキャリア上で異なる方向に向けてレイアウトとすることにより、同一方向にレイアウトする従来の構成に比べて、テープキャリアの長さ方向に対してより多くのＣＯＦを搭載することができ、テープ面積の有効活用が図れる。これを、図１（ｂ）と図１１（ｂ）との比較により具体的に説明する。
【００４７】
図１１（ｂ）に示す従来構成では、全てのＣＯＦ５１を同一方向に配置することにより不要領域５２が生じ、所定長さＬのテープキャリアにおいてＣＯＦ５２の取れ数は３個である。これに対し、図１（ｂ）に示す本実施例の構成では、やはり不要領域３が生じているものの、その面積は上記不要領域５２に比べ非常に小さく、同じく所定長さＬにおいてＣＯＦ１の取れ数は４個となる。すなわち、同一長さＬのテープキャリアにおいて、従来では３個のＣＯＦしか取れなかったところを、本実施例の構成では４個のＣＯＦが取れることとなり、これは、同一数のＣＯＦを取るためには、本実施例の場合、従来に比べて必要なテープキャリアを長さにして２５％削減できることを意味する。これにより、本実施例の構成では、ＣＯＦの製造価格において大きなコストダウンが得られる。
【００４８】
次に、図２において、ＣＯＦ１の断面図を示す。上記ＣＯＦ１は、テープキャリアとして３層テープを使用する場合は、テープキャリア４上の所定位置に半導体素子２を接続し、該テープキャリア４と半導体素子２との間にできる隙間に封止樹脂５を注入した構造である。
【００４９】
上記テープキャリア４は、ポリイミド系の絶縁材料（テープキャリア材料）６上に、厚さ５〜１５μｍの接着剤７を介して銅箔パターン（配線パターン）８が形成されている。上記絶縁材料６の厚さは、７５μｍ（通常のＴＣＰにおける厚さ）、４０μｍ、２５μｍの何れかであり、該絶縁材料６の厚さを４０μｍまたは２５μｍとした場合には、フレキシブルであるというＣＯＦの特徴を生かすうえで好ましい。また、上記半導体素子２の外部引出し電極には、突起電極（通常、バンプと呼ばれる）９が形成されている。上記銅箔パターン８や突起電極９には必要に応じて錫メッキ処理や金メッキ処理が施されており、本実施例では、上記銅箔パターン８が錫メッキされ、上記突起電極９が金メッキされているものとする。
【００５０】
上記半導体素子２をテープキャリア４に接続する時には、先ず、半導体素子２の電極形成面がテープキャリア４のパターン面と相対するようにそれぞれを位置合わせし、半導体素子２の電極形成面の反対側の面もしくはテープキャリアのパターン面の反対側の面から、一定時間の加熱・加圧を施すことにより、半導体素子２の突起電極９とテープキャリア４の銅箔パターン８とを接続する。すなわち、本実施例では、上記銅箔パターン８が錫メッキされ、上記突起電極９が金メッキされていることにより、これらのメッキ材料が上記加熱・加圧によって合金化し、Ａｕ−Ｓｎ合金によって突起電極９と銅箔パターン８とが接続される。
【００５１】
上記突起電極９と銅箔パターン８との接続後、テープキャリア４と半導体素子２との間にできる隙間には封止樹脂５が注入されるが、該封止樹脂５の注入は、耐湿性および機械的な強度の向上を図って行われるものである。また、上記テープキャリア４の外部接続端子（すなわちアウタリード）以外の部分は、ソルダーレジストと呼ばれる絶縁性材料が塗布され、導電性異物が直接パターン上に乗りショートすることを防ぐ役目をする。
【００５２】
尚、上記図２のＣＯＦでは３層テープからなるテープキャリア４を用いた場合を説明したが、図３に示すような２層テープからなるテープキャリア１０を用いても良い。上記テープキャリア１０では、接着剤７が用いられず、絶縁材料６の上に銅箔パターン８が直接形成されている。
【００５３】
次いで、本実施例に係るＣＯＦの製造過程を図４を参照して説明する。
【００５４】
先ず、図４（ａ）に示すテープキャリア製造工程において、テープキャリア４が製造される。上記テープキャリア４は、パターン設計時において、不要領域３（図１（ｂ）参照）が最も少なくなるように、すなわち所定長さのテープキャリア４上でＣＯＦ１の取れ数が最も多くなるようにレイアウト設計される必要がある。但し、上記テープキャリア製造工程自体は従来の工程と何ら変わりなく、ここで工程の増加が生じることはない。
【００５５】
次に、図４（ｂ）に示すＩＬＢ（インナリードボンディング）工程において、上記テープキャリア４の製造工程で形成された配線パターンの所定位置に半導体素子２が接合される。このような半導体素子２の接合は、半導体ウエハから半導体素子２をピックアップして、テープキャリア４上の所定位置に位置合わせした後、インナリードボンダと呼ばれる装置によって加熱加圧することにより半導体素子２とテープキャリア４とを接続することによって行われる。尚、上記ＩＬＢ工程では、テープキャリア４上に形成される配線パターンが、テープ送り方向に対して異なる方向に配列されていることより、半導体素子２の設置方向も該配線パターンの向きと合わせられなければならない。このため、上記半導体素子２のピックアップ後に、これを任意の角度に回転させる機構を設ければよく、これにより、新たな設備を必要としない。尚、上記ＩＬＢ工程が、特許請求の範囲に記載の第１の工程に相当する。
【００５６】
上記ＩＬＢ工程後は、樹脂塗布工程および電気検査工程に続いて、図４（ｃ）に示すパンチング工程において、上記テープキャリア４上に連続的に形成されたＣＯＦ１が、パンチングによって個々のＣＯＦ１に打ち抜かれる。上記パンチング工程はパンチング用金型を用いて行われるが、該パンチング工程においても、ＣＯＦ１を打ち抜く向きと配線パターンの向きとを合わせる必要がある。このため、上記パンチング用金型を任意の角度に回転させる機構を設ければよい。尚、上記パンチング工程が、特許請求の範囲に記載の第２の工程に相当する。
【００５７】
こうして、完成したＣＯＦ１は、ＯＬＢ（アウタリードボンディング）工程において、外部接続端子（アウタリード）と他の回路基板とを接続することによりモジュールの構成をなす。例えば、上記ＣＯＦ１を液晶表示装置の駆動ドライバとして用いるのであれば、液晶パネル等と接続されて液晶モジュールを構成する。また、テープキャリア４上に、抵抗、コンデンサ、ＬＥＤ（Ｌｉｑｕｉｄ  Ｃｒｙｓｔａｌ  Ｄｉｓｐｌａｙ）等、他のチップ部品を搭載することも可能であり、これにより、上記テープキャリア４が回路基板を兼用するモジュール構成とすることができ、該モジュールにおいてさらなる空間の有効利用ができる。
【００５８】
また、上記図４に示したＣＯＦの製造方法では、ＩＢＬ工程およびパンチング工程において、半導体素子２の設置方向およびＣＯＦ１を打ち抜く向きを配線パターンの向きとを合わせるために、半導体素子２のピックアップ機構およびパンチング用金型を回転させる方法を説明したが、これとは別のＣＯＦの製造方法を図５および図６を参照して説明する。
【００５９】
先ず、図５（ａ）におけるテープキャリア製造工程は、図４（ａ）の工程と同一である。
【００６０】
図５（ｂ）および図５（ｃ）に示すＩＬＢ工程では、半導体ウエハから半導体素子２をピックアップして、テープキャリア４上の所定位置に位置合わせする際に、複数のピックアップ機構を用いることによって、同一のテープキャリア４上に数種類の半導体素子を順番に搭載する。本実施例の構成では、テープキャリア４上に配置方向が互いに異なる２種類のＣＯＦ１ａ・１ｂが形成されるため、上記ピックアップ機構も２つ必要となる。尚、上記ＣＯＦ１ａ・１ｂは、テープキャリア４から打ち抜かれた後は同一のＣＯＦとなるが、ここでは、テープキャリア上での配置方向が異なるだけのＣＯＦも別種類であるとする。
【００６１】
そして、図５（ｂ）に示すように、一方のピックアップ機構によって、ＣＯＦ１ａとなる配線パターン上に半導体素子２ａが搭載され、次いで、図５（ｃ）に示すように、他方のピックアップ機構によってＣＯＦ１ｂとなる配線パターン上に半導体素子２ｂが搭載される。上記半導体素子２ａ・２ｂの搭載後、インナリードボンダによって加熱加圧することにより半導体素子２とテープキャリア４とが接続されることは、図４（ｂ）の工程と同様である。尚、上記テープキャリア４上のレイアウトにおいて、隣接するＣＯＦ１ａ・１ｂの位置関係は常に一定である。すなわち、上記テープキャリア上で、ＣＯＦ１ａ（またはＣＯＦ１ｂ）のみに注目すれば、その配置向きおよび配置間隔は一定であるため、一つのピックアップ機構を用いてＣＯＦ１ａに対して半導体素子２ａを搭載することには格別の困難は生じない。
【００６２】
さらに、上記ＩＬＢ工程において、従来の設備を全く変えないで該ＩＬＢ工程を行うことも可能である。すなわち、上記ピックアップ機構およびインナリードボンダからなるボンディング装置に対し、上記テープキャリア４を複数回通すことによって同一のテープキャリア４上に数種類の半導体素子を搭載する。本実施例の場合では、上記図５（ｂ）の工程を１回目の通しにおいて行い、図５（ｃ）の工程を２回目の通しにおいて行えばよい。
【００６３】
上記ＩＬＢ工程後には、樹脂塗布工程および電気検査工程が行われる。続いて、図６（ａ）および図６（ｂ）に示すパンチング工程では、上記ＩＬＢ工程と同様に、２種類のパンチング用金型を用い、２台のパンチング装置にテープキャリア４を通すか、若しくは、１台のパンチング装置にテープキャリア４を２回通すことによって、同一のテープキャリア４から２種類のＣＯＦ１を打ち抜くことができる。すなわち、図６（ａ）に示すように、１台目（若しくは１回目）のパンチング装置によってＣＯＦ１ａを打ち抜き、２台目（若しくは２回目）のパンチング装置によってＣＯＦ１ｂを打ち抜けばよい。さらに、上記パンチング工程では、同時に２種類のＣＯＦ１を打ち抜き可能なパンチング用金型を用いても良い。
【００６４】
〔実施例２〕
図７に本発明の他の実施例を示す。
【００６５】
本実施例に係るＣＯＦ１１は、図７（ａ）に示すような形状をしており、液晶モジュールにおいて使用されるものとする。液晶モジュールでは、液晶パネルの両端に複数個のＣＯＦを実装する場合があり、このような場合では該液晶パネルの上下（または左右）において、鏡面対称形状のＣＯＦによって形成されたドライバがそれぞれ実装される。本実施例の構成は、このような鏡面対称形状のＣＯＦを製造する場合に有効である。
【００６６】
本実施例の構成では、図７（ｂ）に示すように、同一のテープキャリア４上において、上記図７（ａ）に示すＣＯＦ１１と同形状のＣＯＦ１１ａと、これと鏡面対称な形状を有するＣＯＦ１１ｂとが交互に配列されている。上記ＣＯＦ１１ｂは、上記ＣＯＦ１１ａを図中で左右反転した後、反時計方向に９０°回転した向きで配置されている。また、上記ＣＯＦ１１ａには半導体素子１２ａが接合され、上記ＣＯＦ１１ｂには半導体素子１２ｂが接合される。上記半導体素子１２ａ・１２ｂも、テープキャリア４上におけるＣＯＦ１１ａ・ＣＯＦ１１ｂと整合をとるように９０°回転して実装される。
【００６７】
このように、本実施例では、互いに鏡面形状となる２種類のＣＯＦ１１ａ・１１ｂをテープキャリア４上で、不要領域が最も小さくなる適切な向きでレイアウトとすることにより、テープキャリア４の長さ方向に対してより多くのＣＯＦを搭載することができ、テープ面積の有効活用が図れる。
【００６８】
一方、上記ＣＯＦ１１ａ・１１ｂを従来の方法で製造する場合には、ＣＯＦ１１ａおよびＣＯＦ１１ｂを、それぞれ異なるテープキャリアを用いて作成する必要がある。従来の製造方法に基づいて上記ＣＯＦ１１ａが形成されたテープキャリアを図７（ｃ）に示す。
【００６９】
図７（ｂ）に示す本実施例の構成では、同図に示す長さのテープキャリア４において、ＣＯＦ１１ａ・１１ｂの取れ数は合わせて６個である。これに対し、図７（ｃ）に示す従来構成では、上記図７（ｂ）と同一長さのテープキャリアにおいて、５個のＣＯＦ１１ａしか取れていないことがわかる。これにより、本実施例の構成では、同一長さのテープキャリアにおけるＣＯＦの取れ数が従来の場合に比べて増加し、ＣＯＦの製造価格において大きなコストダウンが得られる。
【００７０】
さらに、２種類のＣＯＦを作成する場合に、２種類のテープキャリアを作成することなく、１種類のテープキャリアで２種類のＣＯＦを同時に形成可能となる。
【００７１】
上記ＣＯＦ１１ａ・１１ｂの製造工程では、ＩＬＢ工程においてＣＯＦ１１ａ・１１ｂに接合される半導体素子１２ａ・１２ｂは、全く同一であるとは限らず（すなわち、通常は上記半導体素子１２ａ・１２ｂが機能的に鏡面対称となるように設計される）、この場合、上記実施例１の図４（ｂ）に示すように、上記半導体素子１２ａ・１２ｂのピックアップ後にこれを任意の角度に回転させる機構を設けるだけでは対処できない。
【００７２】
したがって、本実施例に係るＩＬＢ工程では、実施例１における図５（ｂ）、（ｃ）に示す方法と同様に、２台のピックアップ機構を用いて、同一のテープキャリア４上に半導体素子１２ａ・１２ｂを順番に搭載するか、あるいは、ピックアップ機構およびインナリードボンダからなるボンディング装置に対し、上記テープキャリア４を２回通すことによって同一のテープキャリア４上に半導体素子１２ａ・１２ｂを順番に搭載することが好ましい。尚、上記テープキャリア４上のレイアウトにおいて、隣接するＣＯＦ１１ａ・１１ｂの位置関係は常に一定である。すなわち、上記テープキャリア上で、ＣＯＦ１１ａ（またはＣＯＦ１１ｂ）のみに注目すれば、その配置向きおよび配置間隔は一定であるため、一つのピックアップ機構を用いてＣＯＦ１１ａに対して半導体素子１２ａを搭載することには格別の困難は生じない。
【００７３】
また、パンチング工程においても同様であり、互いに鏡面形状であるＣＯＦ１１ａ・１１ｂに対しては、同一のパンチング用金型を用いることはできないため、実施例１における図６（ａ）、（ｂ）に示す方法と同様に、２種類のパンチング用金型を用い、２台のパンチング装置にテープキャリア４を通すか、若しくは、１台のパンチング装置にテープキャリア４を２回通すことが好ましい。
【００７４】
〔実施例３〕
図８に本発明の他の実施例を示す。
【００７５】
本実施例においては、同一のテープキャリア４上において、異なる形状を有する２種類のＣＯＦ１３およびＣＯＦ１４が交互に配列されている。上記ＣＯＦ１３およびＣＯＦ１４は、必ずしも同一のモジュールにおいて使用される必要はなく、テープキャリア４から打ち抜かれた後は、それぞれ別の用途に用いられるものであってもよい。上記ＣＯＦ１３およびＣＯＦ１４は、テープキャリア４上におけるパターン領域が最大限に有効利用できるような（すなわち、ＣＯＦの形成に使用されない不要領域が最小限となるような）組み合わせとなっている。
【００７６】
尚、上記図８では、同一のテープキャリア４上に形成されるＣＯＦを２種類であるとしたが、３種類以上のＣＯＦを同時に形成しても良い。この場合、これら複数種類のＣＯＦは所定の順序で配列される。
【００７７】
このように、本実施例の構成では、同一のテープキャリア上に異なる形状を有する複数種類のＣＯＦが同時に形成される。この時、上記複数種類のＣＯＦを、テープキャリア上の不要領域が最小限となるような組み合わせとすることにより、テープ面積を有効利用でき、ＣＯＦの製造価格において大きなコストダウンが得られる。
【００７８】
さらに、複数種類のＣＯＦを作成する場合に、１種類のテープキャリアでこれらのＣＯＦを同時に形成可能となるため、多品種少量生産を行う場合に好適である。
【００７９】
上記ＣＯＦ１３・１４の製造工程では、ＩＬＢ工程においてＣＯＦ１３・１４に接合される半導体素子は、基本的に別種類のものである。したがって、この場合も上記実施例２と同様に、上記実施例１の図４（ｂ）に示すように、上記半導体素子のピックアップ後にこれを任意の角度に回転させる機構を設けるだけでは対処できない。
【００８０】
したがって、本実施例に係るＩＬＢ工程では、実施例１における図５（ｂ）、（ｃ）に示す方法と同様に、２台のピックアップ機構を用いて、同一のテープキャリア４上に半導体素子１３・１４を順番に搭載するか、あるいは、ピックアップ機構およびインナリードボンダからなるボンディング装置に対し、上記テープキャリア４を２回通すことによって同一のテープキャリア４上に半導体素子１３・１４を順番に搭載することが好ましい。尚、上記テープキャリア４上のレイアウトにおいて、隣接するＣＯＦ１３・１４の位置関係は常に一定である。すなわち、上記テープキャリア上で、ＣＯＦ１３（またはＣＯＦ１４）のみに注目すれば、その配置向きおよび配置間隔は一定であるため、一つのピックアップ機構を用いてＣＯＦ１３に対して半導体素子を搭載することには格別の困難は生じない。
【００８１】
また、上記テープキャリア上に、３種類以上のＣＯＦを形成する場合であっても、隣接する特定の２種類のＣＯＦについては、その位置関係は常に一定であるため、上記テープキャリア上で、特定の１種類のＣＯＦのみに注目すれば、その配置向きおよび配置間隔は一定となる。すなわち、同一種類のＣＯＦは、上記テープキャリア上において、一定周期の間隔でもって繰り返し形成されることとなる。
【００８２】
また、パンチング工程においても同様であり、互いに異なる形状であるＣＯＦ１３・１４に対しては、同一のパンチング用金型を用いることはできないため、実施例１における図６（ａ）、（ｂ）に示す方法と同様に、２種類のパンチング用金型を用い、２台のパンチング装置にテープキャリア４を通すか、若しくは、１台のパンチング装置にテープキャリア４を２回通すことが好ましい。
【００８３】
〔実施例４〕
上記実施例１ないし３では、図２に示すように、ＩＬＢ工程において、半導体素子２とテープキャリア４とは、半導体素子２の突起電極９とテープキャリア４の銅箔パターン８とを位置合わせし、インナリードボンダによって加熱・加圧を行うことによって接合されている。さらに、上記突起電極９と銅箔パターン８との接続後、テープキャリア４と半導体素子２との間にできる隙間には封止樹脂５が注入され、耐湿性および機械的な強度の向上が図られる。
【００８４】
これに対して本実施例では、半導体素子とテープキャリアとの接合において、異方導電性接着剤を用いることにより、上記ＩＬＢ工程における工程の簡略化を図っている。
【００８５】
図９に示す構成においては、半導体素子２の突起電極９とテープキャリア１０の銅箔パターン８とは、絶縁性接着剤１５ａ内に導電粒子１５ｂを分散させてなるフィルム状の異方導電性接着フィルム１５によって接合されている。この場合、上記テープキャリア１０の銅箔パターン８上に異方導電性接着フィルム１５を転写し、その上に半導体素子２を位置合わせして加圧することにより、上記突起電極９と銅箔パターン８とが導電粒子１５ｂを介して電気的に接続される。
【００８６】
このように、上記異方導電性接着フィルム１５を用いた場合、該異方導電性接着フィルム１５によって端子部分の封止効果も得られる。このため、封止樹脂が不要となり、該封止樹脂の注入工程等を省くことができるため、従来に比べ組立工程を簡略化することができる。すなわち、上記実施例１で述べたようなＡｕ−Ｓｎ合金形成によって半導体素子２の突起電極９とテープキャリア１０の銅箔パターン８とを接合して組み立てる場合は、ＩＬＢ工程において突起電極９と銅箔パターン８とを接合し、樹脂封止工程において接合部分を封止するといった２工程が必要となるが、本実施例のように異方導電性接着剤を用いれば、上記ＩＬＢ工程に相当する接合工程のみで封止工程も兼ねることができるため、工程の簡略化を図ることができる。
【００８７】
尚、図９においては、異方導電性接着剤としてフィルム状の異方導電性接着フィルム１５を用いているが、図１０に示すようなペースト状の異方導電性接着ペースト１６を用いても同様の効果を得ることができる。
【００８８】
また、上記図９および図１０では、２層テープ構造であるテープキャリア１０を用いた場合を示しているが、本発明においてテープキャリアのテープ構造は特に限定されず、３層テープ構造であるテープキャリア４を用いることも可能である。同様のことは、実施例２または３においても言える。すなわち、実施例２または３において、テープキャリア４とあるところを２層テープ構造のテープキャリア１０を用いることももちろん可能である。
【００８９】
【発明の効果】
請求項１の発明のテープキャリアは、以上のように、同一形状の配線パターンが、テープキャリアの利用面積が大きくなるようなレイアウトで、テープキャリアのテープ送り方向に対して複数の方向を有するように配置されている構成である。
【００９０】
請求項５の発明のテープキャリア型半導体装置の製造方法は、以上のように、同一形状の配線パターンが、テープキャリアの利用面積が大きくなるようなレイアウトで、テープキャリアのテープ送り方向に対して複数の方向を有するように配置されているテープキャリアに対して、該テープキャリア上の配線パターンの所定位置に半導体素子を接合・搭載する第１の工程と、上記配線パターン上に上記半導体素子が接合・搭載されてなるテープキャリア型半導体装置を、上記テープキャリアから打ち抜いて個々のテープキャリア型半導体装置とする第２の工程とを有する構成である。
【００９１】
それゆえ、上記請求項１および５の構成によれば、配線パターンのレイアウトによって、テープキャリア上に形成される全ての配線パターンを同一方向に配置する従来構成に比べて、該テープキャリア上においてテープキャリア型半導体装置の形成に寄与しない不要領域を減少させることができる。これにより、テープキャリア型半導体装置の製造価格において大きなコストダウンが得られるという効果を奏する。
【００９２】
請求項２の発明のテープキャリアは、以上のように、形状の異なる複数種類の配線パターンが、テープキャリアの利用面積が大きくなるようなレイアウトで配置されている構成である。
【００９３】
請求項６の発明のテープキャリア型半導体装置の製造方法は、以上のように、形状の異なる複数種類の配線パターンが、テープキャリアの利用面積が大きくなるようなレイアウトで配置されているテープキャリアに対して、該テープキャリア上の配線パターンの所定位置に半導体素子を接合・搭載する第１の工程と、上記配線パターン上に上記半導体素子が接合・搭載されてなるテープキャリア型半導体装置を、上記テープキャリアから打ち抜いて個々のテープキャリア型半導体装置とする第２の工程とを有する構成である。
【００９４】
それゆえ、上記請求項２および６の構成によれば、複数種類の配線パターンを適切に組み合わせることによってテープキャリアの利用面積が大きくなり、テープキャリア上に同一種類の配線パターンを同一方向に配置する従来構成に比べて、該テープキャリア上においてテープキャリア型半導体装置の形成に寄与しない不要領域を減少させることができる。これにより、テープキャリア型半導体装置の製造価格において大きなコストダウンが得られるという効果を奏する。
【００９５】
さらに、１種類のテープキャリアで複数種類のテープキャリア型半導体装置を同時に形成可能となるため、多品種少量生産を行う場合に好適であるという効果を併せて奏する。
【００９６】
請求項３の発明のテープキャリアは、以上のように、請求項１または２の構成に加えて、上記配線パターンが、上記テープキャリアの基体となるテープキャリア材料上に、接着剤を介在して固定されている構成である。
【００９７】
請求項４の発明のテープキャリアは、以上のように、請求項１または２の構成に加えて、上記配線パターンが、上記テープキャリアの基体となるテープキャリア材料上に、接着剤を介在せずに固定されている構成である。
【００９８】
上記請求項３の構成によれば３層テープのテープキャリアに、また、上記請求項４の構成によれば２層テープのテープキャリアに本発明を適用することができる。
【００９９】
それゆえ、請求項１または２の構成による効果に加えて、請求項３の構成によれば３層テープのテープキャリアに、また、上記請求項４の構成によれば２層テープのテープキャリアに本発明を適用することができるという効果を奏する。
【０１００】
請求項７の発明のテープキャリア型半導体装置の製造方法は、以上のように、請求項５の構成に加えて、上記第１の工程で、上記テープキャリア上の配線パターンの所定位置に搭載される半導体素子は、該配線パターンの向きに応じて回転された後、搭載される構成である。
【０１０１】
それゆえ、請求項５の構成による効果に加えて、配線パターンの所定位置に搭載される半導体素子を該配線パターンの向きに応じて回転した後に搭載することができるため、該半導体素子を配線パターンの向きに応じて搭載することができるという効果を奏する。
【０１０２】
請求項８の発明のテープキャリア型半導体装置の製造方法は、以上のように、請求項５または６の構成に加えて、上記第１の工程で、上記テープキャリア上の配線パターンの所定位置に搭載される半導体素子は、該テープキャリア上の配線パターンの種類数に対応して設けられたピックアップ機構によって搭載されるものであり、同種類の配線パターンに搭載される半導体素子は、同一のピックアップ機構によって搭載される構成である。
【０１０３】
それゆえ、請求項５または６の構成による効果に加えて、配線パターンの所定位置に搭載される半導体素子に対し、同種類の配線パターンに搭載される半導体素子を同一のピックアップ機構によって搭載することによって、上記半導体素子を配線パターンの種類に応じて搭載することができるという効果を奏する。
【０１０４】
請求項９の発明のテープキャリア型半導体装置の製造方法は、以上のように、請求項５または６の構成に加えて、上記第１の工程で、上記テープキャリア上の配線パターンの所定位置に搭載される半導体素子は、該テープキャリア上の配線パターンの種類数に対応する回数分だけ、該工程を実行する製造装置に通されることによって搭載されるものであり、同種類の配線パターンに搭載される半導体素子は、上記製造装置の同一通過時に搭載される構成である。
【０１０５】
それゆえ、請求項５または６の構成による効果に加えて、配線パターンの所定位置に搭載される半導体素子に対し、同種類の配線パターンに搭載される半導体素子を上記製造装置の同一通過時に搭載することにより、上記半導体素子を配線パターンの種類に応じて搭載することができるという効果を奏する。
【０１０６】
請求項１０の発明のテープキャリア型半導体装置の製造方法は、以上のように、請求項５の構成に加えて、上記第２の工程で、上記テープキャリア上のテープキャリア型半導体装置は、該配線パターンの向きに応じて回転可能に設けられたパンチング用金型によって打ち抜かれる構成である。
【０１０７】
それゆえ、請求項５の構成による効果に加えて、テープキャリア型半導体装置を配線パターンの向きに応じて回転させたパンチング用金型によってテープキャリアから打ち抜くことができるため、配線パターンの向きに応じた打ち抜きができるという効果を奏する。
【０１０８】
請求項１１の発明のテープキャリア型半導体装置の製造方法は、以上のように、請求項５または６の構成に加えて、上記第２の工程で、上記テープキャリア上のテープキャリア型半導体装置は、上記配線パターンの種類数に対応して設けられたパンチング用金型によってテープキャリアから打ち抜かれるものであり、同種類の配線パターンを有するテープキャリア型半導体装置は、同一のパンチング用金型によって打ち抜かれる構成である。
【０１０９】
それゆえ、請求項５または６の構成による効果に加えて、同種類の配線パターンを有するテープキャリア型半導体装置を同一のパンチング用金型によって打ち抜くことにより、上記テープキャリア型半導体装置を配線パターンの種類に応じてテープキャリアから打ち抜くことができるという効果を奏する。
【０１１０】
請求項１２の発明のテープキャリア型半導体装置の製造方法は、以上のように、請求項５または６の構成に加えて、上記第２の工程で、上記テープキャリア上のテープキャリア型半導体装置は、上記配線パターンの種類数に対応して設けられたパンチング用金型によって、かつ、上記配線パターンの種類数に対応する回数分だけ、該工程を実行する製造装置に通されることによってテープキャリアから打ち抜かれるものであり、同種類の配線パターンを有するテープキャリア型半導体装置は、上記製造装置の同一通過時に、同一のパンチング用金型によって打ち抜かれる構成である。
【０１１１】
それゆえ、請求項５または６の構成による効果に加えて、同種類の配線パターンを有するテープキャリア型半導体装置を、上記製造装置の同一通過時に同一のパンチング用金型によって打ち抜くことにより、上記テープキャリア型半導体装置を配線パターンの種類に応じてテープキャリアから打ち抜くことができるという効果を奏する。
【０１１２】
請求項１３の発明のテープキャリア型半導体装置の製造方法は、以上のように、請求項５ないし１２の何れかの構成に加えて、上記第１の工程で、上記半導体素子と上記テープキャリア上の配線パターンとの接合方式が、Ａｕ−Ｓｎの合金形成によってなされている構成である。
【０１１３】
それゆえ、請求項５ないし１２の何れかの構成による効果に加えて、例えば、金メッキされた半導体素子電極と、錫メッキされた配線パターンとを加熱加圧することにより、Ａｕ−Ｓｎの合金形成によって上記半導体素子と上記配線パターンとが接合されるため、従来の接合方式を利用することができるという効果を奏する。
【０１１４】
請求項１４の発明のテープキャリア型半導体装置の製造方法は、以上のように、請求項５ないし１２の何れかの構成に加えて、上記第１の工程で、上記半導体素子と上記テープキャリア上の配線パターンとが、異方導電性接着剤によって接合される構成である。
【０１１５】
それゆえ、請求項５ないし１２の何れかの構成による効果に加えて、上記半導体素子と上記テープキャリア上の配線パターンとを異方導電性接着剤によって接合することにより、従来の使用されていた封止樹脂の注入工程等を省くことができ、従来に比べ上記第１の工程を簡略化することができるという効果を奏する。
【図面の簡単な説明】
【図１】本発明の実施例１に係る構成を示すものであり、図１（ａ）は製造されるＣＯＦの形状を示す平面図、図１（ｂ）は上記ＣＯＦの長尺のテープキャリア上でのパターンレイアウトを示す平面図である。
【図２】上記テープキャリアに３層テープを用いた場合のＣＯＦの構成を示す断面図である。
【図３】上記テープキャリアに２層テープを用いた場合のＣＯＦの構成を示す断面図である。
【図４】図４（ａ）ないし図４（ｃ）は、上記ＣＯＦの製造工程を示す説明図である。
【図５】図５（ａ）ないし図５（ｃ）は、上記ＣＯＦの他の製造工程の一部を示す説明図である。
【図６】図６（ａ）ないし図６（ｂ）は、上記ＣＯＦの他の製造工程の一部を示す説明図である。
【図７】本発明の実施例２に係る構成を示すものであり、図７（ａ）は製造されるＣＯＦの形状を示す平面図、図７（ｂ）は上記ＣＯＦの長尺のテープキャリア上でのパターンレイアウトを示す平面図、図７（ｃ）は上記ＣＯＦの長尺のテープキャリア上での従来のパターンレイアウトを示す平面図である。
【図８】本発明の実施例３に係る構成を示すものであり、複数種類のＣＯＦの長尺のテープキャリア上でのパターンレイアウトを示す平面図である。
【図９】本発明の実施例４に係る構成を示すものであり、半導体素子とテープキャリアとの接続に異方導電性接着フィルムを用いた場合のＣＯＦの構成を示す断面図である。
【図１０】本発明の実施例４に係る構成を示すものであり、半導体素子とテープキャリアとの接続に異方導電性接着ペーストを用いた場合のＣＯＦの構成を示す断面図である。
【図１１】従来構成を示すものであり、図１１（ａ）は製造されるＣＯＦの形状を示す平面図、１１（ｂ）は上記ＣＯＦの長尺のテープキャリア上での従来のパターンレイアウトを示す平面図である。
【符号の説明】
１・１１・１３・１４  ＣＯＦ（テープキャリア型半導体装置）
２・１２              半導体素子
４・１０              テープキャリア
６                    絶縁材料（テープキャリア材料）
８                    銅箔パターン（配線パターン）
１５                  異方導電性接着フィルム（異方導電性接着剤）
１６                  異方導電性接着ペースト（異方導電性接着剤）
【図１】
0003558921.tif 000002
【図２】
0003558921.tif 000003
【図３】
0003558921.tif 000004
【図４】
0003558921.tif 000005
【図５】
0003558921.tif 000006
【図６】
0003558921.tif 000007
【図７】
0003558921.tif 000008
【図８】
0003558921.tif 000009
【図９】
0003558921.tif 000010
【図１０】
0003558921.tif 000011
【図１１】
0003558921.tif 000012